【手続補正書】
【提出日】平成16年5月12日(2004.5.12)
【手続補正１】
【補正対象書類名】明細書
【補正対象項目名】００４３
【補正方法】変更
【補正の内容】
【００４３】
なお、画素７の形状は星形に限らず、四角形、ハート形、文字形、影絵様形等、任意の形状が採用できる。
【手続補正２】
【補正対象書類名】明細書
【補正対象項目名】００４７
【補正方法】変更
【補正の内容】
【００４７】
変形例１：本変形例に係る画素層８は、図１０の（ａ）に示すように、パーソナルコンピュータにより編集処理アプリケーションを用いて、前記実施の形態１と同様にして画素２５を多数縦横に整列させると共に、各画素行１５上に配置される画素２５の並び（一方の画素の並び）の各画素２５の形状が、各画素行１５上に配置される画素２５の並びと直交した基準線１７上に位置する画素列１２上に配置される画素２５の並び（他方の画素の並び）の菱形状の各画素７を基本画素２６とし、基本画素２６から離れるに従って該基本画素２６の形状を徐々に変形した形状となり、かつ、基本画素２６から最も離れた画素２５ａの形状が円形状になるように編集処理を施し、かつ、各画素行１５上に配置される画素２５の並び（一方の画素の並び）の各画素２５の大きさが基準線１７上に位置する画素列１２上に配置される画素２５の並びを一の画素２５の並びとして該一の画素２５の並びを残した状態で当該一の画素２５の並びからより遠くに離れた他の画素の並びに配置される画素２５ほど小さくなるように編集処理を施した画像データを得た後、前記実施の形態１と同様にして透明フィルム６に各画素２５を出力して形成してなるものである。
【手続補正３】
【補正対象書類名】明細書
【補正対象項目名】００５０
【補正方法】変更
【補正の内容】
【００５０】
なお、虚像２７の形状は、基準画素１０の近傍に位置する各画素２５の形状によって決定されるため、虚像２７の基本画素２６側の形状は基準画素１０の形状よりも菱形に近い形状となり、虚像２７の最も離れた画素２５ａ側の形状は基準画素１０の形状よりも円形に近い形状となる。
【手続補正４】
【補正対象書類名】明細書
【補正対象項目名】００５９
【補正方法】変更
【補正の内容】
【００５９】
本実施の形態に係る虚像現出装飾体３１は、図１２に示すように、透明基板４からなる透明基板層５と、該透明基板層５の表面に前記実施の形態１と同様にして平凸レンズ状集光素２を積層してなる平凸レンズ状集光素層３と、該透明基板層５の裏面に画素３２を多数縦横に整列させて積層してなる画素層８とから構成されており、平凸レンズ状集光素層３と画素層８とは、図１３に示すように、平凸レンズ状集光素２と画素３２とが上下において最も重なる基準集光素９と基準画素１０とからなる組を有し、基準画素１０を含む基準画素列１１と等距離にある一組の他の画素列１２，１２が該他の画素列１２，１２に対応する平凸レンズ状集光素列１３，１３に対して基準画素列１１を中心軸として内側に向かってずれていると共に、基準画素列１１より外側の画素列１２，１２ほどずれる幅が大きくなり、かつ、基準画素１０を含む基準画素行１４と等距離にある一組の他の画素行１５，１５が該他の画素行１５，１５に対応する平凸レンズ状集光素行１６，１６に対して基準画素行１４を中心軸として内側に向かって前記画素列１２，１２におけるずれ幅と同じずれ幅でずれていると共に、基準画素行１４より外側の画素行１５，１５ほどずれる幅が大きくなるように配置されている。
【手続補正５】
【補正対象書類名】明細書
【補正対象項目名】００６０
【補正方法】変更
【補正の内容】
【００６０】
画素層８は、図１４に示すように、パーソナルコンピュータにて編集処理アプリケーションを用いて、平凸レンズ状集光素層３を形成した紗体の線数を超える線数からなる紗体を形成する紗線によってできる升目を単位として該升目のピッチと同一ピッチで画素３２が多数縦横に整列させると共に、各画素行１５上に配置される画素３２の並び（一方の画素の並び）と直交した基準線１７の最も近くに位置する画素列１２上に配置される画素３２の並び（他方の画素の並び）の長方形状の各画素３２を基本画素３３とし、各画素行１５上に配置される画素３２の並びの各画素３２の一部が基本画素３３から離れるに従って同じ屈曲角αを累積する屈曲パターンにて一方向に屈曲するように、即ち、各画素行１５上に配置される画素３２の並びにおいて基本画素３３の隣の画素である一個目の画素３２の屈曲角α1 がαとなり、二個目の画素３２の屈曲角α2 が２αとなり、以下、同様にｎ個目の画素３２の屈曲角αn がｎαとなるように屈曲変形させ、かつ、基本画素３３から最も離れた画素３２ａの形状が深く屈曲した形状となるように編集処理を施した画素配置の画像データを得た後、前記実施の形態１と同様にして透明基板層５の裏面に各画素３２を出力して形成してなるものである。
【手続補正６】
【補正対象書類名】明細書
【補正対象項目名】００６９
【補正方法】変更
【補正の内容】
【００６９】
本実施の形態は前記実施の形態３における画素層の変形例であり、図２０は本実施の形態に係る画素層の一変形例を示した図であり、図中、基準線を一点鎖線、画素列及び画素行を実線にて示している。図２１は図２０に示す画素層を積層した虚像現出装飾体における平凸レンズ状集光素と画素との位置関係を説明する平面図であり、図中、画素列及び画素行を実線、平凸レンズ状集光素列及び平凸レンズ状集光素行を点線、基準線を一点鎖線にて示している。図２２は図２０に示す画素層を積層した虚像現出装飾体を目視した場合において現出する虚像を説明する平面図である。図２３は本実施の形態に係る画素層の他の変形例を示した平面図であり、図中、基準線を一点鎖線、画素列及び画素行を実線にて示している。図２４は本実施の形態に係る画素層の他の変形例を示した平面図であり、図中、基準線を一点鎖線、画素列及び画素行を実線にて示している。図２５は図２４に示す画素層を積層した虚像現出装飾体を目視した場合に現出する虚像を説明する平面図である。図２６は本実施の形態に係る画素層の他の変形例を示した平面図であり、図中、基準線を一点鎖線、画素列及び画素行を実線にて示している。これらの図において図１〜図１９と同一符号は同一又は相当部分を示している。
【手続補正７】
【補正対象書類名】明細書
【補正対象項目名】００７８
【補正方法】変更
【補正の内容】
【００７８】
本変形例に係る画素層８を前記変形例１と同様の配置になるように透明基板層の裏面に形成した後、前記実施の形態３と同様にして目視すると、図２５に示すように、基準画素を中心として画素４５の虚像４６が現出すると共に、基準画素の隣の画素３８を中心として画素３８の虚像４３が現出するので、虚像４３と虚像４６とが重なった状態の虚像４７が平凸レンズ状集光素層３の奥（下方）に沈んで見える。また、前記実施の形態３と同様に目視する方向を保持した状態で目視する位置を各画素行１５上に交互に配置された画素３８及び画素４５の並び（一方の画素の並び）に対して略平行に移動させた場合には、虚像４４が目視する位置を移動させた方向と同一方向に僅かに移動すると共に、虚像４３が移動した方向に位置する各画素３８の形に合わせて徐々に菱形又は円形に変形すように見える。
【手続補正８】
【補正対象書類名】明細書
【補正対象項目名】００７９
【補正方法】変更
【補正の内容】
【００７９】
なお、虚像４３の形状は、基準画素の近傍に位置する各画素３８の形状によって決定されるため、虚像４３の基本画素４０側の形状は基準画素の形状よりも菱形に近い形状となり、虚像４３の最も離れた画素３８ａ側の形状は基準画素の形状よりも円形に近い形状となる。
【手続補正９】
【補正対象書類名】明細書
【補正対象項目名】００９５
【補正方法】変更
【補正の内容】
【００９５】
図３０は本実施の形態に係る虚像現出装飾体の平凸レンズ状集光素と画素との位置関係を説明する平面図であり、図中、画素列及び画素行を実線、平凸レンズ状集光素列及び平凸レンズ状集光素行を点線、基準線を一点鎖線にて示している。図３１は図３０に示す虚像現出装飾体を模型的に示した部分縦断面図であり、図３１の（ａ）は図３０に示す虚像現出装飾体のＡ−Ａ断面図であり、図３１の（ｂ）は図３０に示す虚像現出装飾体のＢ−Ｂ断面図である。図３２は図３０に示す虚像現出装飾体によって現出する各虚像の上下の位置関係を示した図であり、図３２の（ａ）は図３０に示す虚像現出装飾体をＸ方向より目視した場合に現出する虚像を示しており、図３２の（ｂ）は図３０に示す虚像現出装飾体をＹ方向より目視した場合に現出する虚像を示している。図３３は図３０に示す虚像現出装飾体によって現出する虚像を示した平面図であり、図３３の（ａ）は図３０に示す虚像現出装飾体をＸ方向より目視した場合に現出する虚像を説明する平面図であり、図３３の（ｂ）は図３０に示す虚像現出装飾体をＹ方向より目視した場合に現出する虚像を説明する平面図である。これらの図において図１〜図２９と同一符号は同一又は相当部分を示している。
【手続補正１０】
【補正対象書類名】明細書
【補正対象項目名】０１１３
【補正方法】変更
【補正の内容】
【０１１３】
次に、虚像現出装飾体６０を目視する方向を変更してＹ方向（図３４参照）から目視した状態で目視する位置を基準画素１０の真上に固定して目視した場合には、Ｘ方向より目視した場合における画素列１２が画素行となり、画素行１５が画素列となり、基準画素列１１が基準画素行となり、基準画素行１４が基準画素列となり、平凸レンズ状集光素列１３が平凸レンズ状集光素行となり、平凸レンズ状集光素行１６が平凸レンズ状集光素列となり、画素行１５であった画素列と平凸レンズ状集光素行１６であった平凸レンズ状集光素列及び画素列１２であった画素行と平凸レンズ状集光素列１３であった平凸レンズ状集光素行は、Ｘ方向より目視した場合における画素列１２と平凸レンズ状集光素列１３及び画素行１５と平凸レンズ状集光素行１６の位置関係と同様の位置関係にあるので、図３６の（ｂ）に示すように、虚像６４が画素６１とは上下が逆転した状態で基準画素１０を中心として平凸レンズ状集光素層３の手前（上方）であって前記虚像６３の高さ位置よりも下方の高さ位置に浮いて見える（図３７の（ｂ）中、点線にて示す。）。
【手続補正１１】
【補正対象書類名】明細書
【補正対象項目名】０１１９
【補正方法】変更
【補正の内容】
【０１１９】
本実施の形態においては、図４０に示すように、虚像６９が画素４９とは上下が逆転した状態で基準画素１０を中心として平凸レンズ状集光素層３の手前（上方）に浮いて現出し、さらに、虚像６９を目視する位置を各画素行上に配置される画素４９の並び（一方の画素の並び）に対して略平行に移動させた場合には、虚像６９が、目視する位置を移動させた方向と反対方向に僅かに移動しながら移動する方向に位置する各画素４９の形に合わせて徐々に円形又は星形に変形するように見える。
【手続補正１２】
【補正対象書類名】明細書
【補正対象項目名】０１２０
【補正方法】変更
【補正の内容】
【０１２０】
なお、虚像６９の形状が歪んでいるのは、各画素列１２を傾斜させているため、各画素４９の横方向のピッチが基本画素行６６から離れるに従って大きくなり、各画素４９のピッチと各平凸レンズ状集光素２のピッチとの差が小さくなるためである。
【手続補正１３】
【補正対象書類名】明細書
【補正対象項目名】０１２７
【補正方法】変更
【補正の内容】
【０１２７】
なお、虚像７０の形状が歪んでいるのは、前記実施の形態８と同様に各画素列を傾斜させているため、各画素４９の横方向のピッチが基本画素行６６から離れるに従って大きくなり、各画素４９のピッチと各平凸レンズ状集光素２のピッチとの差が大きくなるためである。
【手続補正１４】
【補正対象書類名】明細書
【補正対象項目名】０１４６
【補正方法】変更
【補正の内容】
【０１４６】
厚さ１mmの前記軟質透明基板４を用意し、厚さ0.1mm の前記透明フィルム６を用意した。そして、35線の紗体にて割合を40％として平凸レンズ状集光素層３を形成し、34.1線の紗体の升目のピッチにて画素２５を多数縦横に整列させると共に、各画素行１５上に配置される画素７の並びの各画素７を５cmの範囲内で円形から星形へ変形させ、かつ、各画素２５を徐々に小さくする編集処理を施した画素配置からなる画素層８を作成した外、実施例１と同様にして虚像現出装飾体を得た（図１０の（ａ）参照）。当該虚像現出装飾体を実施例１と同様にして目視する位置を移動させて観察したところ、虚像２７が平凸レンズ状集光素層３の手前（上方）に浮いて見えると共に、該虚像２７の形状が徐々に変形するように見えた（図１０の（ｂ）参照）。
【手続補正１５】
【補正対象書類名】明細書
【補正対象項目名】図面の簡単な説明
【補正方法】変更
【補正の内容】
【図面の簡単な説明】
【図１】
実施の形態１における虚像現出装飾体を模型的に示した部分縦断面図である。
【図２】
図１に示す虚像現出装飾体の平凸レンズ状集光素と画素との位置関係を説明する平面図である。
【図３】
図１に示す虚像現出装飾体の平凸レンズ状集光素層を示した平面図である。
【図４】
図１に示す虚像現出装飾体における画素層の画素配置を説明する図である。
【図５】
図２に示す虚像現出装飾体を目視した状態を説明する図である。
【図６】
図２に示す虚像現出装飾体をＸ方向から目視した場合に現出する虚像を左目で目視した後に右目で目視したときの画像のずれを説明する平面図である。
【図７】
図２に示す虚像現出装飾体をＸ方向から目視した場合に現出する虚像を右目で目視した後に左目で目視したときの画像のずれを説明する平面図である。
【図８】
図２に示す虚像現出装飾体をＸ方向から目視した場合に現出する虚像を説明する平面図である。
【図９】
図２に示す虚像現出装飾体をＹ方向から目視した場合に現出する虚像を説明する平面図である。
【図１０】
実施の形態２に係る画素層の変形例１を示した図である。
【図１１】
実施の形態２に係る画素層の変形例２を示した図である。
【図１２】
実施の形態３における虚像現出装飾体を模型的に示した部分縦断面図である。
【図１３】
図１２に示す虚像現出装飾体の平凸レンズ状集光素と画素との位置関係を説明する平面図である。
【図１４】
図１２に示す虚像現出装飾体における画素層の画素配置を説明する図である。
【図１５】
図１３に示す虚像現出装飾体を目視した状態を説明する図である。
【図１６】
図１３に示す虚像現出装飾体をＸ方向から目視した場合に現出する虚像を左目で目視した後に右目で目視したときの画像のずれを説明する平面図である。
【図１７】
図１３に示す虚像現出装飾体をＸ方向から目視した場合に現出する虚像を右目で目視した後に左目で目視したときの画像のずれを説明する平面図である。
【図１８】
図１３に示す虚像現出装飾体をＸ方向から目視した場合に現出する虚像を説明する平面図である。
【図１９】
図１３に示す虚像現出装飾体をＹ方向から目視した場合に現出する虚像を説明する平面図である。
【図２０】
実施の形態４に係る画素層の変形例１を示した平面図である。
【図２１】
図２０に示す画素層を積層した虚像現出装飾体における平凸レンズ状集光素と画素との位置関係を説明する平面図である。
【図２２】
図２１に示す虚像現出装飾体を目視した場合に現出する虚像を説明する平面図である。
【図２３】
実施の形態４に係る画素層の変形例２を示した平面図である。
【図２４】
実施の形態４に係る画素層の変形例３を示した平面図である。
【図２５】
図２４に示す画素層を積層した虚像現出装飾体を目視した場合に現出する虚像を説明する平面図である。
【図２６】
実施の形態４に係る画素層の変形例４を示した平面図である。
【図２７】
実施の形態５に係る虚像現出装飾体の平凸レンズ状集光素と画素との位置関係を説明する平面図である。
【図２８】
図２７に示す虚像現出装飾体を模型的に示した部分縦断面図である。
【図２９】
図２７に示す虚像現出装飾体に現出する虚像を示した図である。
【図３０】
実施の形態６に係る虚像現出装飾体の平凸レンズ状集光素と画素との位置関係を説明する平面図である。
【図３１】
図３０に示す虚像現出装飾体を模型的に示した部分縦断面図である。
【図３２】
図３０に示す虚像現出装飾体によって現出する各虚像の上下の位置関係を示した図である。
【図３３】
図３０に示す虚像現出装飾体に現出する虚像を示した平面図である。
【図３４】
実施の形態７に係る虚像現出装飾体の平凸レンズ状集光素と画素との位置関係を説明する平面図である。
【図３５】
図３４に示す虚像現出装飾体を模型的に示した部分縦断面図である。
【図３６】
図３４に示す虚像現出装飾体によって現出する各虚像の上下の位置関係を示した図である。
【図３７】
図３４に示す虚像現出装飾体に現出する虚像を示した平面図である。
【図３８】
実施の形態８に係る画素層の画素配置を説明する図である。
【図３９】
実施の形態８に係る虚像現出装飾体の平凸レンズ状集光素と画素との位置関係を説明する平面図である。
【図４０】
実施の形態８に係る虚像現出装飾体によって現出する虚像を説明する平面図である。
【図４１】
複数の虚像が現出する虚像現出装飾体における各虚像を説明する平面図である。
【図４２】
実施の形態９に係る虚像現出装飾体の平凸レンズ状集光素と画素との位置関係を説明する平面図である。
【図４３】
実施の形態９に係る虚像現出装飾体によって現出する虚像を説明する平面図である。
【図４４】
複数の虚像が現出する虚像現出装飾体における各虚像を説明する平面図である。
【図４５】
画素層を二層積層してなる虚像現出装飾体を模型的に示した部分縦断面図である。
【図４６】
図４５に示す虚像現出装飾体に現出する各虚像の上下の位置関係を説明する図である。
【図４７】
第三従来品の画素層の画素配置を説明する図である。
【手続補正１６】
【補正対象書類名】明細書
【補正対象項目名】図１
【補正方法】変更
【補正の内容】
【図１】
2003226100.tif 000001
【手続補正１７】
【補正対象書類名】明細書
【補正対象項目名】図１５
【補正方法】変更
【補正の内容】
【図１５】
2003226100.tif 000002